(57)【要約】【課題】  複数の近距離無線用アンテナと、当該複数の近距離無線用アンテナと所定の対応関係で接続される複数の通信モジュールとが配置されている場合に、通信モジュール間で通信状態を合わせる。【解決手段】  制御部１１０Ａは、ＮＦＣ通信部（通信モジュール）１５０Ａ1〜１５０Ａ3の内の一のＮＦＣ通信部が行った他装置とのＮＦＣ通信の通信結果を受ける。この通信結果を受けると、制御部１１０Ａは、当該通信結果に対応するＮＦＣ通信の内容に応じて、当該一のＮＦＣ通信部と他のＮＦＣ通信部との通信状態を同期させるために必要な情報を、他のＮＦＣ通信部に通知する。ここで、一のＮＦＣ通信部がＮＦＣ通信を開始すると、他のＮＦＣ通信部によるＮＦＣ通信を禁止する。【選択図】  図１
2015226075.tif 000002
【特許請求の範囲】
【請求項１】
複数のアンテナと所定の対応関係で接続される複数の通信部と；
前記複数の通信部のそれぞれを制御する制御部と；を備え、
前記制御部は、前記複数の通信部のうちの一の通信部が他機器との通信を行った場合に、前記通信後の前記一の通信部の状態と、前記一の通信部以外の通信部の状態とを一致させるために必要な前記通信に関する情報を、前記一の通信部以外の通信部に通知する、
ことを特徴とする近距離無線通信装置。
【請求項２】
前記一の通信部は、前記他機器と最初に通信を開始した通信部であり、
前記制御部は、前記一の通信部の通信が開始されたら、前記一の通信部以外の通信部の前記他機器との通信を禁止する、
ことを特徴とする請求項１に記載の近距離無線通信装置。
【請求項３】
前記一の通信部以外の通信部は、内部記憶部に、前記制御部から通知された前記他機器との通信に関する情報を記憶する、
ことを特徴とする請求項１又は２に記載の近距離無線通信装置。
【請求項４】
複数のアンテナと所定の対応関係で接続される複数の通信部を備える近距離無線通信装置において使用される近距離無線通信方法であって、
前記複数の通信部のうちの一の通信部が他機器との通信の結果を取得する取得工程と；
前記通信後の前記一の通信部の状態と、前記一の通信部以外の通信部の状態とを一致させるために必要な前記通信に関する情報を、前記一の通信部以外の通信部に通知する通知工程と；
を備えることを特徴とする近距離無線通信方法。
【請求項５】
近距離無線通信装置が有するコンピュータに、請求項４に記載の近距離無線通信方法を実行させる、ことを特徴とする近距離無線通信プログラム。
【請求項６】
近距離無線通信装置が有するコンピュータにより読み取り可能に、請求項５に記載の近距離無線通信プログラムが記録されている、ことを特徴とする記録媒体。
【発明の詳細な説明】
【技術分野】
【０００１】
本発明は、近距離無線通信装置、近距離無線通信方法及び近距離無線通信プログラム、並びに、当該近距離無線通信プログラムが記録された記録媒体に関する。
【背景技術】
【０００２】
近年、携帯端末装置を用いて、データの共有等を行うことが多くなるにつれて、ＮＦＣ（Near Field Communication：近接場通信）等の近距離無線通信が可能な装置が増加している。こうした近距離無線通信では、近距離無線通信の機能を有する装置の近距離無線通信用のアンテナ同士を通信可能距離以内に近付ける（ＮＦＣの場合には、数センチから１ｍ程度以内に近付ける）だけで、予め定められた手順に従って、装置間において１対１通信が行われる。
【０００３】
かかる近距離無線通信に関する通信モジュールは、記憶部を含む態様でＩＣチップ化され、近距離無線通信用のアンテナと接続されるようになっている。そして、当該通信モジュールは、汎用的なマイクロプロセッサを含む制御部による制御のもとで、通信手順の一部の実行を分担するようになっている。
【０００４】
ところで、近距離無線通信用のアンテナとしては、磁界変化に対して敏感な特性を有するループ形状のアンテナが一般的に採用される。こうした近距離無線通信用のアンテナの形成領域の面積の大きさには、上述した通信可能距離に由来する制限がある。
【０００５】
さて、近距離無線通信を行わせるためには、双方の装置におけるアンテナ同士を近付けることが必要となる。しかしながら、一般に装置の機種ごとに近距離無線通信用のアンテナの位置が異なるので、利用者が、単に、一方の装置を他方の装置にかざしたとしても、近距離無線通信ができるとは限らない。こうした事態は、装置が大きくなるほど、すなわち、一方の装置をかざすべき他方の装置の近距離無線通信用のアンテナが存在する可能性がある領域が広くなるほど、発生しやすい。
【０００６】
そこで、比較的大きなサイズの装置の場合に、当該装置に複数の近距離無線通信用のアンテナを配置する技術（特許文献１参照：以下、「従来例」と呼ぶ）を採用することが考えられる。かかる従来例の技術を採用することにより、利用者が、単に、一方の装置を他方の装置にかざした場合であっても、近距離無線通信を行うことができる蓋然性を向上させることができる。
【先行技術文献】
【特許文献】
【０００７】
【特許文献１】特開２０１３−１９８１６５号公報
【発明の概要】
【発明が解決しようとする課題】
【０００８】
上述した従来例の技術では、比較的大きなサイズの装置の場合に複数の近距離無線通信用のアンテナが配置されることは開示されている。しかしながら、各近距離無線通信用のアンテナと通信モジュールとの関係については開示されていない。
【０００９】
近距離無線通信用のアンテナに発生する近距離無線通信の信号が微弱であることを考えると、近距離無線通信用のアンテナの形成領域の近傍に通信モジュールが配置されることが望ましい。この点を鑑みると、装置に複数の近距離無線通信用のアンテナを配置した場合には、近距離無線通信用のアンテナごとに、その近傍に通信モジュールが配置されることが望ましい。
【００１０】
ところで、近距離無線通信の手順には、複数の段階を踏むことが必要なものがある。例えば、第１段階の通信と、第１段階の通信が終了したことを前提として行われる第２段階の通信とが行われることが必要な場合がある。こうした場合に、第１段階の通信及び第２段階の通信が、別の通信モジュールを介して行われる可能性がある場合には、それぞれの通信モジュール間で通信状態を合わせる（同期させる）必要がある。しかしながら、従来例の技術では、こうした通信状態を合わせることについては、何等の提案もなされていない。
【００１１】
このため、近距離無線端末装置に、複数の近距離無線通信用アンテナと、当該複数の近距離無線通信用アンテナのうちの対応するアンテナに接続される複数の通信モジュールとが配置されている場合に、通信モジュール間で通信状態を合わせることができる技術が望まれている。かかる要請に応えることが、本発明が解決すべき課題の一つとして挙げられる。
【課題を解決するための手段】
【００１２】
請求項１に記載の発明は、複数のアンテナと所定の対応関係で接続される複数の通信部と；前記複数の通信部のそれぞれを制御する制御部と；を備え、前記制御部は、前記複数の通信部のうちの一の通信部が他機器との通信を行った場合に、前記通信後の前記一の通信部の状態と、前記一の通信部以外の通信部の状態とを一致させるために必要な前記通信に関する情報を、前記一の通信部以外の通信部に通知する、ことを特徴とする近距離無線通信装置である。
【００１３】
請求項４に記載の発明は、複数のアンテナと所定の対応関係で接続される複数の通信部を備える近距離無線通信装置において使用される近距離無線通信方法であって、前記複数の通信部のうちの一の通信部が他機器との通信の結果を取得する取得工程と；前記通信後の前記一の通信部の状態と、前記一の通信部以外の通信部の状態とを一致させるために必要な前記通信に関する情報を、前記一の通信部以外の通信部に通知する通知工程と；を備えることを特徴とする近距離無線通信方法である。
【００１４】
請求項５に記載の発明は、近距離無線通信装置が有するコンピュータに、請求項４に記載の近距離無線通信方法を実行させる、ことを特徴とする近距離無線通信プログラムである。
【００１５】
請求項６に記載の発明は、近距離無線通信装置が有するコンピュータにより読み取り可能に、請求項５に記載の近距離無線通信プログラムが記録されている、ことを特徴とする記録媒体である。
【図面の簡単な説明】
【００１６】
【図１】本発明の第１実施形態に係る近距離無線通信装置の機能を含む無線通信装置の構成を概略的に示すブロック図である。
【図２】図１のＮＦＣ通信部の構成を示すブロック図である。
【図３】図１のＮＦＣ通信用アンテナの配置位置を説明するための図である。
【図４】図１の無線通信装置と通信する携帯端末装置の構成を概略的に示すブロック図である。
【図５】ＮＦＣ通信時における図１の無線通信装置と図４の携帯端末装置との位置関係の例を示す図である。
【図６】図１の制御部による通信処理を説明するためのフローチャートである。
【図７】図６のＢＴ通信部の活性化処理を説明するためのフローチャートである。
【図８】図６の相互認識処理を説明するためのフローチャートである。
【図９】図６のペアリング通信処理を説明するためのフローチャートである。
【図１０】図２のＮＦＣ通信部によるＮＦＣ通信処理を説明するためのフローチャートである。
【図１１】図１の無線通信装置における状態遷移を説明するための図である。
【図１２】図１の無線通信装置と図４の携帯端末装置との通信動作を説明するためのシーケンス図である。
【図１３】本発明の第２実施形態に係る近距離無線通信装置の機能を含む無線通信装置の構成を概略的に示すブロック図である。
【図１４】図１３のＮＦＣ通信部の構成を示すブロック図である。
【図１５】図１３のＮＦＣ通信用アンテナの配置位置を説明するための図である。
【図１６】図１３の無線通信装置と通信する携帯端末装置の構成を概略的に示すブロック図である。
【図１７】ＮＦＣ通信時における図１３の無線通信装置と図１６の携帯端末装置との位置関係の例を示す図である。
【図１８】図１３の制御部によるＮＦＣ通信関連処理を説明するためのフローチャートである。
【図１９】図１４のＮＦＣ通信部によるＮＦＣ通信関連処理を説明するためのフローチャートである。
【図２０】図１３無線通信装置と図１６の携帯端末装置との通信動作を説明するためのシーケンス図である。
【発明を実施するための形態】
【００１７】
以下、本発明の実施形態を、添付図面を参照して説明する。なお、以下の説明及び図面では、同一又は同等の要素には同一の符号を付し、重複する説明を省略する。
【００１８】
［第１実施形態］
まず、本発明の第１実施形態を、図１〜図１２を参照して説明する。
【００１９】
＜構成＞
図１には、第１実施形態に係る近距離無線通信装置としての機能を有する無線通信装置１００Ａの概略的な構成がブロック図にて示されている。この図１に示されるように、無線通信装置１００Ａは、制御部１１０Ａと、表示部１２０Ａと、入力部１３０Ａとを備えている。また、無線通信装置１００Ａは、ＢＴ通信部１４０と、アンテナ１４５と、ＮＦＣ通信部１５０Ａ1〜１５０Ａ3と、アンテナ１５５1〜１５５3とを備えている。
【００２０】
上記の制御部１１０Ａは、無線通信装置１００Ａの全体を統括制御する。この制御部１１０Ａが実行する処理については、後述する。
【００２１】
上記の表示部１２０Ａは、制御部１１０Ａから送られた表示データを受ける。そして、表示部１２０Ａは、当該表示データに従った画像を表示する。
【００２２】
上記の入力部１３０Ａは、キー部、及び／又は、キー部を備えるリモート入力装置等により構成される。この入力部１３０Ａを利用者が操作することにより、無線通信装置１００Ａの動作内容の指定や動作指令が行われる。例えば、ＢＴ通信部１４０の活性化及び非活性化等の指定を、利用者が入力部１３０Ａを利用して行う。
【００２３】
上記のＢＴ（Bluetooth（登録商標））通信部１４０は、アンテナ１４５及び制御部１１０Ａと接続されている。このＢＴ通信部１４０は、制御部１１０Ａによる制御のもとで、外部のBluetooth対応装置との間でBluetooth規格に従って通信を行う。
【００２４】
このＢＴ通信部１４０は、制御部１１０Ａから送られた活性化指令を受けると、動作電力を消費する通信動作が可能な活性状態となる。また、ＢＴ通信部１４０は、制御部１１０Ａから送られた不活性化指令を受けると、動作電力を消費しない通信動作が不可能な不活性状態となる。
【００２５】
上記のＮＦＣ通信部１５０Ａj（ｊ＝１〜３）は、アンテナ１５５j及び制御部１１０Ａと接続されている。ＮＦＣ通信部１５０Ａjは、制御部１１０Ａによる制御のもとで、アンテナ１５５jを介して、外部のＮＦＣ対応装置との間でＮＦＣ規格に従って通信を行う。
【００２６】
なお、ＮＦＣ通信部１５０Ａjの構成、及び、アンテナ１５５jの配置位置については、後述する。
【００２７】
以上のように構成される無線通信装置１００Ａは、Bluetooth−ＮＦＣ対応装置となっている。そして、他のBluetooth−ＮＦＣ対応装置との間で、ＮＦＣ通信により、Bluetooth規格による１対１通信のためのペアリングのネゴシエーションを行う。当該ネゴシエーションの後に、Bluetooth−ＮＦＣ対応装置間において１対１の送受信が保証されたペアリング通信により、容量の大きなデータの転送ができるようになっている。
【００２８】
《ＮＦＣ通信部１５０Ａjの構成》
ＮＦＣ通信部１５０Ａjは、図２に示されるように、処理部１５１Ａと、記憶部１５２とを備えている。
【００２９】
上記の処理部１５１Ａは、アンテナ１５５jを介して外部のＮＦＣ対応装置との間でＮＦＣ通信のための処理であるＮＦＣ通信処理を行う。こうしたＮＦＣ通信処理には、外部のBluetooth−ＮＦＣ対応装置と間におけるペアリング通信準備処理が含まれている。
【００３０】
なお、処理部１５１Ａは、ＮＦＣ通信処理の開始時に、ＮＦＣ通信開始報告を制御部１１０Ａへ送るようになっている。
【００３１】
かかるＮＦＣ通信処理に際して、処理部１５１Ａは、外部のBluetooth−ＮＦＣ対応装置から受信したデータを、記憶部１５２に格納したり、制御部１１０Ａへ報告したりする。さらに、処理部１５１Ａは、ＮＦＣ通信による通信状態の遷移結果を記憶部１５２に格納したり、制御部１１０Ａへ報告したりする。なお、記憶部１５２に記憶される通信状態情報は、ＢＴ不活性状態、ＢＴ活性状態及び相互認識状態の３種類のいずれかとなっている。
【００３２】
また、処理部１５１Ａは、制御部１１０Ａから送られた通信状態の設定指令及びデータ送信指令等を受ける。ここで、通信状態の設定指令は、通信状態を同期化するための通知の意義を有している。そして、処理部１５１Ａは、通信状態の設定指令で指定された通信状態情報を、記憶部１５２に格納する。この結果、ＮＦＣ通信部１５０Ａjは、指定された通信状態に遷移する。
【００３３】
また、処理部１５１Ａは、データ送信指令で指定されたデータを、アンテナ１５５jを介して外部のBluetooth−ＮＦＣ対応装置へ送信したり、記憶部１５２に格納したりする。
【００３４】
また、処理部１５１Ａは、制御部１１０Ａから送られたロック指令及びロック解除指令を受ける。そして、ロック指令を受けると、処理部１５１Ａでは、ＮＦＣ通信機能がロックされ、ＮＦＣ通信が禁止される。また、ロック解除指令を受けると、処理部１５１Ａでは、ＮＦＣ通信機能のロックが解除され、ＮＦＣ通信が可能となる。
【００３５】
なお、処理部１５１Ａが実行するペアリング通信準備処理の詳細については、後述する。
【００３６】
上記の記憶部１５２は、処理部１５１Ａが利用する様々な情報データが記憶される。こうした情報データには、上述した通信状態情報が含まれている。また、記憶部１５２に記憶される情報データには、無線通信装置１００ＡのBluetooth通信に際しての識別情報及びペアリング確立のための認証情報（以下、単に「認証情報」と呼ぶ）が含まれている。かかるBluetooth通信に際しての識別情報は、第１実施形態では、予め（出荷時までに）、記憶部１５２に記憶されるようになっている。
【００３７】
なお、アンテナ１５５jは、図２に示されるように、ループ状のアンテナとなっている。
【００３８】
《アンテナ１５５jの配置位置》
アンテナ１５５jは、第１実施形態では、図３に示されるように、表示部１２０Ａが備える液晶パネル等の表示デバイス１２２Ａが嵌め込まれる枠部材１２１Ａの下側部分の裏側に配置されている。
【００３９】
《携帯端末装置２００Ａの構成》
ここで、無線通信装置１００Ａの通信相手となるBluetooth−ＮＦＣ対応装置の例である携帯端末装置２００Ａの構成について説明する。こうした携帯端末装置２００Ａとしては、例えば、スマートフォン等が上げられる。携帯端末装置２００Ａは、図４に示されるように、情報処理部２１０Ａと、ＢＴ通信部２４０と、アンテナ２４５と、ＮＦＣ通信部２５０Ａと、アンテナ２５５とを備えている。
【００４０】
上記の情報処理部２１０Ａは、携帯端末装置２００Ａを統括制御するとともに、様々な情報処理を行う。こうした情報処理部２１０Ａによる制御には、ＢＴ通信部２４０を利用したBluetooth通信の制御、及び、ＮＦＣ通信部２５０Ａを利用したＮＦＣ通信の制御が含まれている。
【００４１】
上記のＢＴ通信部２４０は、アンテナ２４５及び情報処理部２１０Ａと接続されている。このＢＴ通信部２４０は、情報処理部２１０Ａによる制御のもとで、外部のBluetooth対応装置との間でBluetooth規格に従って通信を行う。
【００４２】
上記のＮＦＣ通信部２５０Ａは、アンテナ２５５及び情報処理部２１０Ａと接続されている。ＮＦＣ通信部２５０Ａは、情報処理部２１０Ａによる制御のもとで、アンテナ２５５を介して、外部のＮＦＣ対応装置との間でＮＦＣ規格に従って通信を行う。なお、アンテナ２５５は、上述したアンテナ１５５jと同様に、ループ状のアンテナとなっている。
【００４３】
以上のように構成される携帯端末装置２００Ａは、他のBluetooth−ＮＦＣ対応装置との間で、ＮＦＣ通信により、Bluetooth規格による１対１通信のためのペアリングのネゴシエーションを行う。当該ネゴシエーションの後に、Bluetooth−ＮＦＣ対応装置間において１対１の送受信が保証されたペアリング通信により、容量の大きなデータの転送ができるようになっている。
【００４４】
無線通信装置１００Ａと携帯端末装置２００Ａとは、図５に示されるように、アンテナ１５５1〜１５５3のいずれか（図５においては、アンテナ１５５1の場合を例示）とアンテナ２５５とを、対向する位置関係で近接させることにより、ＮＦＣ通信を開始する。すなわち、アンテナ２５５がアンテナ１５５1〜１５５3のいずれかと対向する位置関係で近接するように、無線通信装置１００Ａに対して携帯端末装置２００Ａをかざすことにより、無線通信装置１００Ａと携帯端末装置２００Ａとの間でのＮＦＣ通信が開始する。
【００４５】
＜動作＞
次に、上記のように構成された無線通信装置１００Ａの動作について、制御部１１０Ａ及びＮＦＣ通信部１５０Ａjによる処理に主に着目して説明する。なお、無線通信装置１００Ａは、上述した携帯端末装置２００Ａを通信対象とする通信を行うものとする。
【００４６】
《制御部１１０Ａにおける通信状態》
まず、制御部１１０Ａにおける通信状態の遷移について説明する。
【００４７】
制御部１１０Ａにおける通信状態には、ＢＴ不活性状態、ＢＴ活性状態、相互認識状態及びペアリング通信状態の４つの状態がある。そして、携帯端末装置２００Ａとの通信の進展に応じて、制御部１１０Ａにおける通信状態が遷移していくようになっている。
【００４８】
ＢＴ不活性状態は、ＢＴ通信部１４０が、動作電力を消費しないが、Bluetooth通信動作が不可能な状態である。また、ＢＴ活性状態は、ＢＴ通信部１４０が、動作電力を消費し、通信動作が可能な状態である。
【００４９】
さらに、相互認識状態は、携帯端末装置２００Ａ等のBluetooth−ＮＦＣ対応装置とのペアリング通信のために、無線通信装置１００ＡとBluetooth−ＮＦＣ対応装置との間で相互認識が完了している状態である。また、ペアリング通信状態は、ＢＴ通信部１４０を利用して、Bluetooth−ＮＦＣ対応装置との間でペアリング通信を行っている状態である。
【００５０】
なお、相互認識状態及びペアリング通信状態においても、ＢＴ通信部１４０は活性化されているが、後述する図１１に示されるように、ＢＴ不活性状態又は相互認識状態に遷移する前の状態を「ＢＴ活性状態」と呼ぶようにしている。
【００５１】
《制御部１１０Ａにおける処理》
次に、制御部１１０Ａにおける処理について説明する。なお、当初においては、ＮＦＣ通信部１５０Ａ1〜１５０Ａ3の全てが、ＮＦＣ通信の禁止がなされていないものとする。
【００５２】
以下の説明においては、ＮＦＣ通信部１５０Ａ1〜１５０Ａ3のうちで、ＮＦＣ通信部の識別情報を含む最新のＮＦＣ通信開始報告を発行したＮＦＣ通信部を「報告ＮＦＣ通信部」と呼ぶものとする。ここで、報告ＮＦＣ通信部は、同一のＮＦＣ通信部であるとは限らず、ＮＦＣ通信開始報告のたびに報告ＮＦＣ通信部が異なる可能性があるものとする。
【００５３】
なお、ＮＦＣ通信部１５０Ａ1〜１５０Ａ3のうち、報告ＮＦＣ通信部以外のＮＦＣ通信部を「他ＮＦＣ通信部」と呼ぶものとする。
【００５４】
図６に示されるように、制御部１１０Ａは、まず、ステップＳ１１において、新たなＮＦＣ通信開始報告を受けたか否かを判定する。ステップＳ１１における判定の結果が否定的であった場合（ステップＳ１１：Ｎ）には、ステップＳ１１の処理が繰り返される。
【００５５】
新たなＮＦＣ通信開始報告を受け、ステップＳ１１における判定の結果が肯定的となると（ステップＳ１１：Ｙ）、処理はステップＳ１２へ進む。このステップＳ１２では、制御部１１０Ａが、他ＮＦＣ通信部のそれぞれに対して、ロック指令を発行し、他ＮＦＣ通信部によるＮＦＣ通信を禁止する。
【００５６】
次に、ステップＳ１３において、制御部１１０Ａが、後述する第１ＮＦＣ通信報告を受けたか否かを判定する。ステップＳ１３における判定の結果が肯定的であった場合（ステップＳ１３：Ｙ）には、処理はステップＳ１４へ進む。このステップＳ１４では、制御部１１０Ａが、ＢＴ通信部１４０の活性化処理を実行する。この結果、制御部１１０Ａにおける通信状態は、ＢＴ不活性状態からＢＴ活性状態へ遷移する。そして、処理はステップＳ１１へ戻る。
【００５７】
なお、ステップＳ１４におけるＢＴ通信部１４０の活性化処理の詳細については、後述する。
【００５８】
ステップＳ１３における判定の結果が否定的であった場合（ステップＳ１３：Ｎ）には、処理はステップＳ１５へ進む。このステップＳ１５では、制御部１１０Ａが、後述する第２ＮＦＣ通信報告を受けたか否かを判定する。
【００５９】
ステップＳ１５における判定の結果が肯定的であった場合（ステップＳ１５：Ｙ）には、処理はステップＳ１６へ進む。このステップＳ１６では、制御部１１０Ａが、相互認識処理を実行する。この結果、制御部１１０Ａにおける通信状態は、ＢＴ活性状態から相互認識状態へ遷移する。そして、処理はステップＳ１１へ戻る。
【００６０】
なお、ステップＳ１６における相互認識処理の詳細については、後述する。
【００６１】
ステップＳ１５における判定の結果が否定的であった場合（ステップＳ１５：Ｎ）には、処理はステップＳ１７へ進む。このステップＳ１７では、制御部１１０Ａは、後述する第３ＮＦＣ通信報告を受けたか否かを判定する。
【００６２】
ステップＳ１７における判定の結果が肯定的であった場合（ステップＳ１７：Ｙ）には、処理はステップＳ１８へ進む。このステップＳ１８では、制御部１１０Ａが、ペアリング通信処理を実行する。かかるペアリング通信処理において、制御部１１０Ａにおける通信状態が、相互認識状態からペアリング通信状態へ遷移する。そして、ステップＳ１８におけるペアリング通信処理が終了すると、制御部１１０Ａにおける通信状態が、ペアリング通信状態からＢＴ活性状態へ遷移した後、処理はステップＳ１１へ戻る。
【００６３】
なお、ステップＳ１８におけるペアリング通信処理の詳細については、後述する。
【００６４】
ステップＳ１７における判定の結果が否定的であった場合（ステップＳ１７：Ｎ）には、処理はステップＳ１９へ進む。このステップＳ１９では、制御部１１０Ａが、ＢＴ通信部１４０を不活性化するか否かを判定する。この判定は、ＢＴ通信部１４０が活性化中において、入力部１３０Ａから送られたＢＴ通信部１４０の活性化指定を受けたか、又は、ＮＦＣ通信及びBluetooth通信の双方ともに行われないまま所定時間が経過したか否かを判定することにより行われる。
【００６５】
ステップＳ１９における判定の結果が肯定的であった場合（ステップＳ１９：Ｙ）には、処理はステップＳ２０へ進む。このステップＳ２０では、制御部１１０Ａが、不活性化処理を実行する。この結果、制御部１１０Ａは、ＢＴ不活性状態へ遷移する。そして、処理はステップＳ１１へ戻る。
【００６６】
ステップＳ２０における不活性化処理では、制御部１１０Ａが、ＢＴ通信部１４０に対して不活性化指令を発行する。この結果、ＢＴ通信部１４０が不活性化される。
【００６７】
また、ステップＳ２０における不活性化処理では、制御部１１０Ａが、他ＮＦＣ通信部をＢＴ不活性状態に設定する。この結果、他ＮＦＣ通信部の記憶部にＢＴ不活性状態である旨が記憶される。
【００６８】
ステップＳ１９における判定の結果が否定的であった場合（ステップＳ１９：Ｎ）には、処理はステップＳ２１へ進む。このステップＳ２１では、制御部１１０Ａが、入力部１３０Ａから送られた活性化指定を受けたか否かを判定する。ステップＳ２１における判定の結果が否定的であった場合（ステップＳ２１：Ｎ）には、処理はステップＳ１１へ戻る。
【００６９】
ステップＳ２１における判定の結果が肯定的であった場合（ステップＳ２１：Ｙ）には、処理はステップＳ２２へ進む。このステップＳ２２では、制御部１１０Ａが、ＢＴ通信部１４０が不活性中であるか否かを判定する。ステップＳ２２における判定の結果が否定的であった場合（ステップＳ２２：Ｎ）には、処理はステップＳ１１へ戻る。
【００７０】
ステップＳ２２における判定の結果が肯定的であった場合（ステップＳ２２：Ｙ）には、処理はステップＳ２３へ進む。このステップＳ２３では、制御部１１０Ａが、活性化処理を実行する。この結果、制御部１１０Ａは、ＢＴ不活性状態からＢＴ活性状態へ遷移する。そして、処理はステップＳ１１へ戻る。
【００７１】
ステップＳ２３における活性化処理では、制御部１１０Ａが、ＢＴ通信部１４０に対して活性化指令を発行する。この結果、ＢＴ通信部１４０が活性化される。
【００７２】
また、ステップＳ２３における活性化処理では、制御部１１０Ａが、他ＮＦＣ通信部をＢＴ活性状態に設定する。この結果、他ＮＦＣ通信部の記憶部にＢＴ活性状態である旨が記憶される。そして、処理はステップＳ１１へ戻る。
【００７３】
（ステップＳ１４におけるＢＴ通信部１４０の活性化処理）
次いで、上述したステップＳ１４におけるＢＴ通信部１４０の活性化処理について説明する。
【００７４】
かかるＢＴ通信部１４０の活性化処理に際しては、図７に示されるように、まず、ステップＳ２７において、制御部１１０Ａが、ＢＴ通信部１４０に対して活性化指令を発行する。この結果、ＢＴ通信部１４０が活性化される。
【００７５】
次に、ステップＳ２８において、制御部１１０Ａが、他ＮＦＣ通信部のそれぞれをＢＴ活性状態に設定する。この結果、他ＮＦＣ通信部のそれぞれの記憶部内の通信状態情報がＢＴ活性状態に変更される。
【００７６】
引き続き、ステップＳ２９において、制御部１１０Ａが、他ＮＦＣ通信部のそれぞれに対して、ロック解除指令を発行し、他ＮＦＣ通信部によるＮＦＣ通信を可能とする。そして、ステップＳ１４の処理が終了し、処理は、上述した図６のステップＳ１１へ戻る。
【００７７】
（ステップＳ１６における相互認識処理）
次いで、上述したステップＳ１６における相互認識処理について説明する。
【００７８】
かかる相互認識処理に際しては、図８に示されるように、まず、ステップＳ３１において、制御部１１０Ａが、後述する第２ＮＦＣ通信報告に含まれる携帯端末装置２００ＡのBluetooth通信に際しての識別情報及び認証情報を内部に保持する。引き続き、ステップＳ３２において、他ＮＦＣ通信部のそれぞれを相互認識状態に設定する。この結果、他ＮＦＣ通信部のそれぞれの記憶部内の通信状態情報が相互認識状態に変更される。
【００７９】
なお、制御部１１０Ａは、相互認識状態に設定に際しては、第２ＮＦＣ通信報告に含まれる携帯端末装置２００ＡのBluetooth通信に際しての識別情報を指定するようになっている。このため、他ＮＦＣ通信部のそれぞれの記憶部内の通信状態情報が相互認識状態に変更されるとともに、他ＮＦＣ通信部のそれぞれの記憶部内には、携帯端末装置２００ＡのBluetooth通信に際しての識別情報が記憶されることになる。
【００８０】
次に、ステップＳ３３において、制御部１１０Ａが、他ＮＦＣ通信部のそれぞれに対して、ロック解除指令を発行し、他ＮＦＣ通信部によるＮＦＣ通信を可能とする。そして、ステップＳ１６の処理が終了し、処理は、上述した図６のステップＳ１１へ戻る。
【００８１】
（ステップＳ１８におけるペアリング通信処理）
次に、上述したステップＳ１８におけるペアリング通信処理について説明する。
【００８２】
かかるペアリング通信処理に際しては、図９に示されるように、まず、ステップＳ４１において、制御部１１０Ａが、報告ＮＦＣ通信部に対してロック指令を発行し、報告ＮＦＣ通信部によるＮＦＣ通信を禁止する。この結果、全てのＮＦＣ通信部についてＮＦＣ通信が禁止される。この段階で、制御部１１０Ａが、相互認識状態からペアリング通信状態へ遷移する。
【００８３】
引き続き、ステップＳ４２において、制御部１１０Ａが、上述したステップＳ３２において保持した携帯端末装置２００ＡのBluetooth通信に際しての識別情報及び認証情報を参照しつつ、ＢＴ通信部１４０を利用したペアリング通信を実行する。
【００８４】
ペアリング通信が終了すると、ステップＳ４３において、制御部１１０Ａが、全てのＮＦＣ通信部をＢＴ活性状態に設定する。この結果、全てのＮＦＣ通信部の記憶部内の通信状態情報がＢＴ活性状態に変更される。
【００８５】
次に、ステップＳ４４において、制御部１１０Ａが、全てのＮＦＣ通信部に対して、ロック解除指令を発行し、全てのＮＦＣ通信部についてＮＦＣ通信を可能とする。そして、ステップＳ１８の処理が終了し、処理は、上述した図６のステップＳ１１へ戻る。
【００８６】
《処理部１５１Ａにおけるペアリング通信準備処理》
次いで、処理部１５１Ａにおけるペアリング通信準備処理について説明する。
【００８７】
かかるペアリング通信準備処理に際しては、図１０に示されるように、まず、ステップＳ５１において、処理部１５１Ａが、携帯端末装置２００Ａ等のＮＦＣ対応装置が接近したか否かを判定する。ステップＳ５１における判定の結果が否定的であった場合（ステップＳ５１：Ｎ）には、ステップＳ５１の処理が繰り返される。
【００８８】
ステップＳ５１における判定の結果が肯定的であった場合（ステップＳ５１：Ｙ）には、処理はステップＳ５２へ進む。このステップＳ５２では、処理部１５１Ａが、ＮＦＣ通信を開始し、ＮＦＣ通信開始報告を制御部１１０Ａへ送る。
【００８９】
次に、ステップＳ５３において、処理部１５１Ａが、記憶部１５２内の通信状態がＢＴ不活性状態であるか否かを判定する。ステップＳ５２における判定の結果が肯定的であった場合（ステップＳ５３：Ｙ）には、処理はステップＳ５４へ進む。このステップＳ５４では、処理部１５１Ａが、第１ＮＦＣ通信報告処理を行う。
【００９０】
かかる第１ＮＦＣ通信報告処理では、携帯端末装置２００Ａ等のBluetooth−ＮＦＣ対応装置から送られたBluetooth規格に従ったペアリング通信へのハンドオーバ要求を受信する。なお、当該ハンドオーバ要求では、ハンドオーバ要求を送信した装置（以下、「ハンドオーバ要求装置」と呼ぶ）のBluetooth通信に際しての識別情報及び認証情報が指定されている。
【００９１】
引き続き、処理部１５１Ａが、第１ＮＦＣ通信報告を制御部１１０Ａへ送る。そして、処理部１５１Ａが、記憶部１５２内の通信状態をＢＴ活性状態に変更し、第１ＮＦＣ通信報告処理を終了する。この後、処理はステップＳ５１へ戻る。
【００９２】
ステップＳ５３における判定の結果が否定的であった場合（ステップＳ５３：Ｎ）には、処理はステップＳ５５へ進む。このステップＳ５５では、処理部１５１Ａが、記憶部１５２内の通信状態がＢＴ活性状態であるか否かを判定する。
【００９３】
ステップＳ５５における判定の結果が肯定的であった場合（ステップＳ５５：Ｙ）には、処理はステップＳ５６へ進む。このステップＳ５５では、処理部１５１Ａが、第２ＮＦＣ通信報告処理を行う。
【００９４】
かかる第２ＮＦＣ通信報告処理では、ハンドオーバ要求装置から送られた上述のハンドオーバ要求を受信すると、処理部１５１Ａが、当該ハンドオーバ要求に含まれているハンドオーバ要求装置のBluetooth通信に際しての識別情報及び認証情報を記憶部１５２内に格納する。引き続き、処理部１５１Ａが、記憶部１５２内の無線通信装置１００ＡのBluetooth通信に際しての識別情報及び認証情報をハンドオーバ要求装置へ送信する。
【００９５】
次に、処理部１５１Ａが、ハンドオーバ要求装置のBluetooth通信に際しての識別情報及び認証情報を含む第２ＮＦＣ通信報告を制御部１１０Ａへ送る。そして、処理部１５１Ａが、記憶部１５２内の通信状態を相互認識状態に変更し、第２ＮＦＣ通信報告処理を終了する。この後、処理はステップＳ５１へ戻る。
【００９６】
ステップＳ５５における判定の結果が否定的であった場合（ステップＳ５５：Ｎ）、すなわち、記憶部１５２内の通信状態が相互認識状態である場合には、処理はステップＳ５７へ進む。このステップＳ５７では、処理部１５１Ａが、第３ＮＦＣ通信報告処理を行う。
【００９７】
かかる第３ＮＦＣ通信報告処理では、ハンドオーバ要求装置から送られたハンドオーバ要求を受信すると、処理部１５１Ａが、今回ハンドオーバ要求に含まれているハンドオーバ要求装置のBluetooth通信に際しての識別情報が、記憶部１５２に記憶されているものと同一であるか否かを判定する。この判定の結果が肯定的であった場合には、処理部１５１Ａが、第３ＮＦＣ通信報告を制御部１１０Ａへ送る。この後、第３ＮＦＣ通信報告処理が終了し、処理はステップＳ５１へ戻る。
【００９８】
一方、当該判定の結果が否定的であった場合には、今回のハンドオーバ要求に含まれているハンドオーバ要求装置のBluetooth通信に際しての識別情報及び認証情報を記憶部１５２内に格納する。引き続き、処理部１５１Ａが、記憶部１５２内の無線通信装置１００ＡのBluetooth通信に際しての識別情報及び認証情報をハンドオーバ要求装置へ送信する。
【００９９】
次に、処理部１５１Ａが、ハンドオーバ要求装置のBluetooth通信に際しての識別情報及び認証情報を含む第２ＮＦＣ通信報告を制御部１１０Ａへ送る。この後、第３ＮＦＣ通信報告処理を終了し、処理はステップＳ５１へ戻る。
【０１００】
以上の制御部１１０Ａ及び処理部１５１Ａにより実行される処理により、制御部１１０Ａの通信状態が、図１１に示されるように遷移する。そして、制御部１１０ＡにおけるＢＴ不活性状態、ＢＴ活性状態及び相互認識状態のそれぞれへの遷移と同期して、ＮＦＣ通信部１５０Ａ1〜１５０Ａ3の全ての通信状態が、ＢＴ不活性状態、ＢＴ活性状態及び相互認識状態のそれぞれへ遷移する。
【０１０１】
また、無線通信装置１００Ａと携帯端末装置２００Ａとの通信動作の例が、図１２に示されている。なお、図１２に示されている例は、当初において無線通信装置１００Ａの通信状態がＢＴ不活性状態となっている例である。当初において無線通信装置１００Ａの通信状態がＢＴ活性状態となっている場合には、無線通信装置１００Ａと携帯端末装置２００Ａとの通信動作は、図１２における第２接近以後の動作となる。
【０１０２】
なお、図１２では、ＮＦＣ通信部のロック指令及びロック解除指令に関連するＮＦＣ通信部と制御部１１０Ａとの間での情報の授受の図示を省略している。
【０１０３】
以上説明したように、第１実施形態では、制御部１１０Ａが、ＮＦＣ通信部１５０Ａ1〜１５０Ａ3の内の一のＮＦＣ通信部（報告ＮＦＣ通信部）から、他装置とのＮＦＣ通信の結果を受けると、当該ＮＦＣ通信の内容に応じて、当該一のＮＦＣ通信部と他のＮＦＣ通信部（他ＮＦＣ通信部）との通信状態を同期させるための情報を、他のＮＦＣ通信部に通知する。したがって、第１実施形態によれば、ＮＦＣ通信部（通信モジュール）間で通信状態を合わせることができる。
【０１０４】
この結果、他装置から見た場合に、ＮＦＣ通信部１５０Ａ1〜１５０Ａ3があたかも一つの通信モジュールであるかのように動作させることができるので、ＮＦＣ通信部１５０Ａ1〜１５０Ａ3と接続されるアンテナ１５５1〜１５５3の配置位置を意識することなく、他装置との接近操作を行うことができる。すなわち、当該接近操作時における無線通信装置１００Ａの通信状態に応じて無線通信装置１００Ａの動作が変化する場合において、ＮＦＣ通信部１５０Ａ1〜１５０Ａ3と接続されるアンテナ１５５1〜１５５3の配置位置を意識することなく他装置との接近操作を行っても、無線通信装置１００Ａの動作を同様の動作とすることができる。したがって、利用者の利便性を向上させることができる。
【０１０５】
また、第１実施形態では、制御部１１０Ａが、ＮＦＣ通信部１５０Ａ1〜１５０Ａ3の内の一のＮＦＣ通信部がＮＦＣ通信を開始すると、他のＮＦＣ通信部に対してロック指令を発行し、ＮＦＣ通信を禁止する。このため、ＮＦＣ通信部１５０Ａ1〜１５０Ａ3の内の複数のＮＦＣ通信部による同時通信を防止することができる。
【０１０６】
また、第１実施形態では、最新にＮＦＣ通信を行った一のＮＦＣ通信部以外の他のＮＦＣ通信は、内部記憶部である記憶部１５２に、制御部１１０Ａから通知された他装置との通信に関する情報を記憶する。このため、ＮＦＣ通信部１５０Ａ1〜１５０Ａ3の処理部１５１Ａのそれぞれは、内部記憶部である記憶部１５２内に記憶されている情報データを参照することにより、適切な通信処理を行うことができる。
【０１０７】
［第２実施形態］
まず、本発明の第２実施形態を、図１３〜図２０を主に参照して説明する。
【０１０８】
＜構成＞
図１３には、第２実施形態に係る近距離無線通信装置としての機能を有するナビゲーション装置１００Ｂの概略的な構成がブロック図にて示されている。このナビゲーション装置１００Ｂは、車両内に配置されており、ＥＣＵ（Electronic Control Unit）３００と接続されている。
【０１０９】
上記のＥＣＵ３００は、車両の状態を検出する各種のセンサによる検出結果を収集する。そして、ＥＣＵ３００は、収集された検出結果に基づいて、車両の走行の制御に有用な様々なパラメータ値を逐次導出しつつ、車両の走行の制御や管理を行う。
【０１１０】
第２実施形態では、ＥＣＵ３００により導出されるパラメータ値には、ナビゲーション装置１００Ｂが配置されている車両の車速が含まれている。そして、ＥＣＵ３００は、ＣＡＮ（Controller Area Network）等の通信プロトコルによって動作する車内通信網を利用して、車速の現在値をナビゲーション装置１００Ｂへ送る。
【０１１１】
図１３に示されるように、ナビゲーション装置１００Ｂは、制御部１１０Ｂと、表示部１２０Ｂと、入力部１３０Ｂと、音出力部１６０とを備えている。また、ナビゲーション装置１００Ｂは、センサ部１７０と、ＧＰＳ（Global Positioning System）受信部１８０とを備えている。
【０１１２】
上記の制御部１１０Ｂは、ナビゲーション装置１００Ｂの全体を統括制御する。この制御部１１０Ｂについては、後述する。
【０１１３】
なお、制御部１１０Ｂは、ハードディスク装置等の不揮発性の記憶装置を備えている。この記憶装置には、ナビゲーション装置１００Ｂにおいて利用される様々な情報データが記憶される。こうした情報データには、地図情報、道路情報等が含まれている。
【０１１４】
上記の表示部１２０Ｂは、制御部１１０Ｂから送られた表示データを受ける。そして、表示部１２０Ｂは、当該表示データに従った画像を表示する。この表示部１２０Ｂは、制御部１１０Ｂによる制御のもとで、ナビゲーション処理に際して、地図情報、経路情報等の画像、ガイダンス情報等を表示する。
【０１１５】
上記の入力部１３０Ｂは、上述した第１実施形態における入力部１３０Ａに加えて、近接場入力部１３５を備えている。ここで、近接場入力部１３５は、ＮＦＣ通信部１５０Ｂ1〜１５０Ｂ4と、アンテナ１５５1〜１５５4とを備えている。
【０１１６】
入力部１３０Ａを利用者が操作することにより、又は、外部のＮＦＣ対応装置から近接場入力部１３５を介して、ＮＦＣ通信によりデータ入力をすることにより、ナビゲーション装置１００Ｂの動作内容の設定や動作指令が行われる。例えば、ナビゲーション処理におけるルート探索に関する目的地等の設定を、入力部１３０Ａ又は近接場入力部１３５を利用して行う。
【０１１７】
なお、ＮＦＣ通信部１５０Ｂk（ｋ＝１〜４）の構成、及び、アンテナ１５５kの配置位置については、後述する。
【０１１８】
上記の音出力部１６０は、スピーカＳＰＬ，ＳＰＲ（後述する図１５参照）を備えて構成され、制御部１１０Ｂから送られた音声データに対応する音声を出力する。この音出力部１６０は、制御部１１０Ｂによる制御のもとで、ナビゲーション処理に関する車両の進行方向、走行状況、交通状況等の案内音声を出力する。
【０１１９】
上記のセンサ部１７０は、加速度センサ、角速度センサ、傾斜センサ等を備えて構成されている。センサ部１７０が備える各種センサによる検出結果は、センサデータとして制御部１１０Ｂへ送られる。
【０１２０】
上記のＧＰＳ受信部１８０は、複数のＧＰＳ衛星からの電波の受信結果に基づいて、車両の現在位置を算出する。また、ＧＰＳ受信部１８０は、ＧＰＳ衛星から送出された日時情報に基づいて、現在時刻を計時する。これらの現在位置及び現在時刻に関する情報は、ＧＰＳデータとして制御部１１０Ｂへ送られる。
【０１２１】
ここで、上記の制御部１１０Ｂによるナビゲーション処理の概要について説明する。制御部１１０Ｂは、ナビゲーション処理として、ＥＣＵ３００から送られた車速データ、センサ部１７０から送られたセンサデータ及びＧＰＳ受信部１８０から受けたＧＰＳデータに基づいて、上述した記憶装置中の地図情報等を適宜参照し、利用者へのナビゲーション情報の提供処理を行う。こうしたナビゲーション情報の提供処理には、（ｉ）利用者が指定する地域の地図を表示部１２０Ｂの表示デバイスに表示するための地図表示、（ii）車両が地図上のどこに位置するのか、また、どの方角に向かっているのかを算出するマップマッチング、（iii）車両が現在存在する位置から、利用者が入力部１３０Ｂを利用して指定する任意の位置である目的地までの経路検索が含まれている。また、当該ナビゲーション処理には、（iv）設定された経路に沿って目的地まで運転するときの、目的地への到着予測時刻の算出、（ｖ）マップマッチング結果、算出された到着予測時刻、及び、進行すべき方向をアドバイスするために行われる、表示部１２０Ｂの表示デバイスへの案内表示のための制御、及び、音出力部１６０のスピーカから音声案内を出力するための制御の処理が含まれる。
【０１２２】
《ＮＦＣ通信部１５０Ｂkの構成》
ＮＦＣ通信部１５０Ｂkは、図１４に示されるように、処理部１５１Ｂと、記憶部１５２とを備えている。
【０１２３】
上記の処理部１５１Ｂは、アンテナ１５５kを介して外部のＮＦＣ対応装置との間でＮＦＣ通信のための処理であるＮＦＣ通信処理を行う。こうしたＮＦＣ通信処理は、記憶部１５２内に記憶された情報データを適宜して実行される。第２実施形態では、処理部１５１Ｂが実行するＮＦＣ通信処理は、外部のＮＦＣ対応装置からナビゲーション装置１００Ｂへのデータ入力のための処理、及び、ナビゲーション装置１００Ｂから外部のＮＦＣ対応装置へのデータ送信のための処理の２種類となっている。
【０１２４】
なお、処理部１５１Ｂは、ＮＦＣ通信処理の開始時に、ＮＦＣ通信開始報告を制御部１１０Ｂへ送るようになっている。
【０１２５】
データ入力のための通信に際して、処理部１５１Ｂは、外部のＮＦＣ対応装置から送られたデータを、記憶部１５２に格納するとともに、制御部１１０Ｂへ送る。また、データ送信のための通信に際して、処理部１５１Ｂは、外部のＮＦＣ対応装置により指定された記憶部１５２内のデータを読み取り、読み取られたデータを、アンテナ１５５kを介して外部のＮＦＣ対応装置へ送信する。
【０１２６】
また、処理部１５１Ｂは、制御部１１０Ｂから送られたデータを受ける。そして、処理部１５１Ｂは、当該データを記憶部１５２内に格納する。
【０１２７】
また、処理部１５１Ｂは、制御部１１０Ｂから送られたロック指令及びロック解除指令を受ける。そして、ロック指令を受けると、処理部１５１Ｂは、ＮＦＣ通信機能のロック状態となる。また、ロック解除指令を受けると、処理部１５１Ｂは、ＮＦＣ通信機能のロック状態が解除する。
【０１２８】
なお、処理部１５１Ｂが実行する処理の詳細については、後述する。
【０１２９】
上記の記憶部１５２は、処理部１５１Ｂが利用する様々な情報データが記憶される。こうした情報データには、上述した外部のＮＦＣ対応装置から送られたデータ、及び、制御部１１０Ｂから送られたデータが含まれている。
【０１３０】
《アンテナ１５５kの配置位置》
アンテナ１５５kは、第２実施形態では、図１５に示されるように、表示部１２０Ｂが備える液晶パネル等の表示デバイス１２２Ｂが嵌め込まれる枠部材１２１Ｂの裏側に配置されている。ここで、アンテナ１５５1は、枠部材１２１Ｂの左上側部の裏側に配置されるとともに、アンテナ１５５2は、枠部材１２１Ｂの左下側部の裏側に配置されている。また、アンテナ１５５3は、枠部材１２１Ｂの右上側部の裏側に配置されるとともに、アンテナ１５５4は、枠部材１２１Ｂの右下側部の裏側に配置されている。
【０１３１】
なお、図１５に示されるように、音出力部１６０が備えるスピーカＳＰＬは、枠部材１２１Ｂの左側中央部に嵌め込まれている。また、音出力部１６０が備えるスピーカＳＰＲは、枠部材１２１Ｂの右側中央部分に嵌め込まれている。
【０１３２】
《携帯端末装置２００Ｂの構成》
ここで、ナビゲーション装置１００Ｂの通信相手となるＮＦＣ対応装置の例である携帯端末装置２００Ｂの構成について説明する。こうした携帯端末装置２００Ｂとしては、例えば、スマートフォン等が上げられる。携帯端末装置２００Ｂは、図１６に示されるように、情報処理部２１０Ｂと、ＮＦＣ通信部２５０Ｂと、アンテナ２５５とを備えている。
【０１３３】
上記の情報処理部２１０Ｂは、携帯端末装置２００Ｂを統括制御するとともに、様々な情報処理を行う。こうした情報処理部２１０Ｂによる制御には、ＮＦＣ通信部２５０Ｂを利用したＮＦＣ通信の制御が含まれている。
【０１３４】
上記のＮＦＣ通信部２５０Ｂは、アンテナ２５５及び情報処理部２１０Ｂと接続されている。ＮＦＣ通信部２５０Ｂは、情報処理部２１０Ｂによる制御のもとで、アンテナ２５５を介して、外部のＮＦＣ対応装置との間でＮＦＣ規格に従って通信を行う。なお、アンテナ２５５は、上述したアンテナ１５５kと同様に、ループ状のアンテナとなっている。
【０１３５】
ナビゲーション装置１００Ｂと携帯端末装置２００Ｂとは、図１７に示されるように、アンテナ１５５1〜１５５4のいずれか（図１７においては、アンテナ１５５1の場合を例示）とアンテナ２５５とを、対向する位置関係で近接させることにより、ＮＦＣ通信を開始する。すなわち、アンテナ２５５がアンテナ１５５1〜１５５4のいずれかと対向する位置関係で近接するように、ナビゲーション装置１００Ｂに対して携帯端末装置２００Ｂをかざすことにより、ナビゲーション装置１００Ｂと携帯端末装置２００Ｂとの間でのＮＦＣ通信が開始する。
【０１３６】
＜動作＞
次に、上記のように構成されたナビゲーション装置１００Ｂの動作について、制御部１１０Ｂ及びＮＦＣ通信部１５０ＢkによるＮＦＣ通信関連処理に主に着目して説明する。
【０１３７】
《制御部１１０ＢにおけるＮＦＣ通信関連処理》
まず、制御部１１０ＢにおけるＮＦＣ通信関連処理について説明する。なお、以下の説明においては、第１実施形態の場合と同様に、ＮＦＣ通信部の識別情報を含む最新のＮＦＣ通信開始報告を発行したＮＦＣ通信部を「報告ＮＦＣ通信部」と呼ぶものとする。ここで、報告ＮＦＣ通信部は、第１実施形態の場合と同様に、同一のＮＦＣ通信部であるとは限らず、ＮＦＣ通信開始報告のたびに報告ＮＦＣ通信部が異なる可能性があるものとする。
【０１３８】
なお、第１実施形態の場合と同様に、報告ＮＦＣ通信部以外のＮＦＣ通信部を「他ＮＦＣ通信部」と呼ぶものとする。
【０１３９】
制御部１１０ＢにおけるＮＦＣ通信関連処理に際しては、図１８に示されるように、まず、ステップＳ６１において、制御部１１０Ｂが、新たなＮＦＣ通信開始報告を受けたか否かを判定する。ステップＳ６１における判定の結果が否定的であった場合（ステップＳ６１：Ｎ）には、ステップＳ６１の処理が繰り返される。
【０１４０】
ＮＦＣ通信開始報告を受け、ステップＳ６１における判定の結果が肯定的となると（ステップＳ６１：Ｙ）、処理はステップＳ６２へ進む。このステップＳ６２では、制御部１１０Ｂが、他ＮＦＣ通信部のそれぞれに対して、ロック指令を発行し、他ＮＦＣ通信部によるＮＦＣ通信を禁止する。
【０１４１】
次に、ステップＳ６３において、制御部１１０Ｂが、ＮＦＣ通信終了報告を受けたか否かを判定する。ステップＳ６３における判定結果が否定的であった場合（ステップＳ６３：Ｎ）には、ステップＳ６３の処理が繰り返される。
【０１４２】
なお、ＮＦＣ通信終了報告がデータ入力のためＮＦＣ通信に対応するものであった場合には、当該ＮＦＣ通信終了報告には、入力データが含まれている。一方、ＮＦＣ通信終了報告がデータ送信のためのＮＦＣ通信であった場合には、当該ＮＦＣ通信終了報告には、入力データは含まれない。
【０１４３】
ＮＦＣ通信終了報告を受け、ステップＳ６３における判定結果が肯定的となると（ステップＳ６３：Ｙ）、処理はステップＳ６４へ進む。このステップＳ６４では、制御部１１０Ｂが、今回のＮＦＣ通信終了報告がデータ入力のためＮＦＣ通信に対応するものであったか否かを判定する。ステップＳ６４における判定の結果が否定的であった場合（ステップＳ６４：Ｎ）には、処理は、後述するステップＳ６６へ進む。
【０１４４】
ステップＳ６４における判定の結果が肯定的であった場合（ステップＳ６４：Ｙ）には、処理はステップＳ６５へ進む。このステップＳ６５では、制御部１１０Ｂが、今回のＮＦＣ通信終了報告に含まれる入力データを、報告ＮＦＣ通信部へ通知する。この結果、報告ＮＦＣ通信部の記憶部には、当該入力データが記憶される。そして、処理はステップＳ６６へ進む。
【０１４５】
ステップＳ６６では、制御部１１０Ｂが、他ＮＦＣ通信部のそれぞれに対して、ロック解除指令を発行し、他ＮＦＣ通信部によるＮＦＣ通信を可能とする。そして処理はステップＳ６１へ戻る。
【０１４６】
以後、ステップＳ６１〜Ｓ６６の処理が繰り返される。
【０１４７】
なお、ステップＳ６６の処理が終了すると、その後におけるステップＳ６１〜Ｓ６６の処理の実行と並行して、制御部１１０Ｂは、今回のＮＦＣ通信終了報告に含まれる入力データに応じた処理を実行する。
【０１４８】
《処理部１５１ＢにおけるＮＦＣ通信関連処理》
次いで、処理部１５１ＢにおけるＮＦＣ通信関連処理について説明する。
【０１４９】
処理部１５１ＢにおけるＮＦＣ通信関連処理に際しては、図１９に示されるように、まず、ステップＳ７１において、処理部１５１Ｂが、携帯端末装置２００Ｂ等のＮＦＣ対応装置が接近したか否かを判定する。ステップＳ７１における判定の結果が否定的であった場合（ステップＳ７１：Ｎ）には、ステップＳ７１の処理が繰り返される。
【０１５０】
ステップＳ７１における判定の結果が肯定的であった場合（ステップＳ７１：Ｙ）には、処理はステップＳ７２へ進む。このステップＳ７２では、処理部１５１Ｂが、ＮＦＣ通信を開始し、ＮＦＣ通信開始報告を制御部１１０Ｂへ送る。
【０１５１】
次に、ステップＳ７３において、処理部１５１Ｂが、今回のＮＦＣ通信がデータ入力のためのＮＦＣ通信であるか否かを判定する。この判定に際して、処理部１５１Ｂは、外部のＮＦＣ対応装置から送られたデータ入力要求を受けたか否かを判定する。なお、当該データ入力要求には、外部のＮＦＣ対応装置がナビゲーション装置１００Ｂに入力しようとしている入力データが含まれている。
【０１５２】
ステップＳ７３における判定の結果が肯定的であった場合（ステップＳ７３：Ｙ）には、処理はステップＳ７４へ進む。このステップＳ７４では、処理部１５１Ｂが、今回のＮＦＣ通信がデータ入力のためＮＦＣ通信であった旨、及び、データ入力要求に含まれていた入力データを含むＮＦＣ通信終了報告を、制御部１１０Ｂへ送る。そして、処理はステップＳ７１へ戻る。
【０１５３】
ステップＳ７３における判定の結果が否定的であった場合（ステップＳ７３：Ｎ）には、処理はステップＳ７５へ進む。このステップＳ７５では、処理部１５１Ｂが、今回のＮＦＣ通信が外部のＮＦＣ対応装置による入力データの読み取りのためのＮＦＣ通信、すなわち、入力データの送信のためのＮＦＣ通信であるか否かを判定する。この判定に際して、処理部１５１Ｂは、外部のＮＦＣ対応装置から送られたデータ読取要求を受けたか否かを判定する。なお、当該データ読取要求には、外部のＮＦＣ対応装置がナビゲーション装置１００Ｂから読み取ろうとしている入力データの種類（例えば、目的地）の指定が含まれている。
【０１５４】
ステップＳ７５における判定の結果が否定的であった場合（ステップＳ７５：Ｎ）には、処理はステップＳ７１へ戻る。一方、ステップＳ７５における判定の結果が肯定的であった場合（ステップＳ７５：Ｙ）には、処理はステップＳ７６へ進む。
【０１５５】
ステップＳ７６では、処理部１５１Ｂが、データ送信処理を実行する。かかるデータ送信処理では、処理部１５１Ｂが、データ読取要求により指定された種類のデータを記憶部１５２から読み取る。そして、処理部１５１Ｂは、読み取られたデータを、外部のＮＦＣ対応装置へ送信する。
【０１５６】
次いで、ステップＳ７７において、処理部１５１Ｂが、今回のＮＦＣ通信がデータ送信のためのＮＦＣ通信であった旨を含むＮＦＣ通信終了報告を、制御部１１０Ｂへ送る。そして、処理はステップＳ７１へ戻る。
【０１５７】
以後、処理部１５１Ｂは、ステップＳ７１〜Ｓ７７の処理を繰り返す。
【０１５８】
以上の制御部１１０Ｂ及び処理部１５１Ｂにより実現される無線通信装置１００Ｂと携帯端末装置２００Ｂとの間における通信動作の例が、図２０に示されている。
【０１５９】
以上説明したように、第２実施形態では、制御部１１０Ｂが、ＮＦＣ通信部１５０Ｂ1〜１５０Ｂ4の内の一のＮＦＣ通信部（報告ＮＦＣ通信部）から、他装置からのデータ入力のためのＮＦＣ通信に関するＮＦＣ通信終了報告を受けると、当該ＮＦＣ通信により入力された入力データを当該一のＮＦＣ通信部と他のＮＦＣ通信部（他ＮＦＣ通信部）へ通知する。この結果、全てのＮＦＣ通信部において記憶される入力データの同期化（すなわち、通信状態の同期化）を図ることができる。
【０１６０】
この結果、他装置から見た場合に、ＮＦＣ通信部１５０Ｂ1〜１５０Ｂ4があたかも一つの通信モジュールであるかのように動作させることができるので、ＮＦＣ通信部１５０Ｂ1〜１５０Ｂ4と接続されるアンテナ１５５1〜１５５4の配置位置を意識することなく、他装置による所望の種類の入力データに関する最新データの読み取りが可能となる。したがって、利用者の利便性を向上させることができる。
【０１６１】
また、第２実施形態では、制御部１１０Ｂが、ＮＦＣ通信部１５０Ｂ1〜１５０Ｂ4の内の一のＮＦＣ通信部がＮＦＣ通信を開始すると、他のＮＦＣ通信部によるＮＦＣ通信を禁止する。このため、ＮＦＣ通信部１５０Ｂ1〜１５０Ｂ4の内の複数のＮＦＣ通信部による同時通信を防止することができる。
【０１６２】
［実施形態の変形］
本発明は、上記の実施形態に限定されるものではなく、様々な変形が可能である。
【０１６３】
例えば、上記の第１実施形態では、ＮＦＣ通信のたびにＮＦＣ通信部の処理が変化する例として、Bluetoothペアリング通信のペアリング準備段階のＮＦＣ通信を説明した。これに対し、ＮＦＣ通信のたびにＮＦＣ通信部の処理を変化させることが必要な場合についても本発明を適用してもよい。
【０１６４】
また、上記の第２実施形態では、ＮＦＣ通信により入力されたデータを、ＮＦＣ通信により読み取る例として、ナビゲーション装置の場合を説明した。これに対し、ＮＦＣ通信により入力されたデータをＮＦＣ通信により読み取ることが必要となる装置についても本発明を適用してもよい。
【０１６５】
また、上記の第１実施形態では、ＮＦＣ通信部とＮＦＣ通信用アンテナとの組を３組とし、上記の第２実施形態では、ＮＦＣ通信部とＮＦＣ通信用アンテナとの組を４組としたが、ＮＦＣ通信部とＮＦＣ通信用アンテナとの組の数を任意の複数としてもよい。
【０１６６】
また、上記の第１及び第２実施形態では、複数のＮＦＣ通信部と複数のＮＦＣ通信用アンテナとが１対１接続されるようにしたが、複数のＮＦＣ通信部と複数のＮＦＣ通信用アンテナとの接続形態は１対１に限られない。例えば、１つのＮＦＣ通信部に２以上のＮＦＣ通信用アンテナが接続されるようにしてもよい。
【０１６７】
また、上記の第１及び第２実施形態では、近距離無線通信としてＮＦＣ通信を採用したが、近距離無線通信としてＮＦＣ通信以外の通信を採用してもよい。
【０１６８】
なお、上記の第１及び第２実施形態における制御部１１０Ａ，１１０Ｂを、中央処理装置（ＣＰＵ：Central Processing Unit）等を備えた演算手段としてのコンピュータとして構成し、予め用意されたプログラムを当該コンピュータで実行することにより、これらの要素における処理の一部又は全部を実行するようにしてもよい。これらのプログラムはハードディスク、ＣＤ−ＲＯＭ、ＤＶＤ等のコンピュータで読み取り可能な記録媒体に記録され、当該コンピュータによって記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１６９】
１００Ａ              …  無線通信装置（近距離無線通信装置）
１００Ｂ              …  ナビゲーション装置（近距離無線通信装置）
１１０Ａ，１１０Ｂ    …  制御部
１５０Ａ1〜１５０Ａ3  …  ＮＦＣ通信部（通信部）
１５０Ｂ1〜１５０Ｂ4  …  ＮＦＣ通信部（通信部）
１５２                …  記憶部（内部記憶部）
１５５1〜１５５4      …  アンテナ
２００Ａ，２００Ｂ    …  携帯端末装置（他機器）
【図１】
2015226075.tif 000003
【図２】
2015226075.tif 000004
【図３】
2015226075.tif 000005
【図４】
2015226075.tif 000006
【図５】
2015226075.tif 000007
【図６】
2015226075.tif 000008
【図７】
2015226075.tif 000009
【図８】
2015226075.tif 000010
【図９】
2015226075.tif 000011
【図１０】
2015226075.tif 000012
【図１１】
2015226075.tif 000013
【図１２】
2015226075.tif 000014
【図１３】
2015226075.tif 000015
【図１４】
2015226075.tif 000016
【図１５】
2015226075.tif 000017
【図１６】
2015226075.tif 000018
【図１７】
2015226075.tif 000019
【図１８】
2015226075.tif 000020
【図１９】
2015226075.tif 000021
【図２０】
2015226075.tif 000022